(57)【特許請求の範囲】
【請求項１】
鍵盤と、該鍵盤の後側の上部に設置したパネル部材とを備えた鍵盤装置において、前記パネル部材に部品を取り付けるための部品取付構造であって、
前記パネル部材は、前記鍵盤の後側の上部を覆う上壁と、該上壁の前端から下方に延びて前記鍵盤の後端に沿って立設された前壁とを有する押出成型品であり、
前記上壁の下面側には、下方に突出して鍵の配列方向に延在する突条を有するレール部が形成されているとともに、前記前壁には、前記部品を配置するための貫通部が形成されており、
前記部品を前記レール部に取り付けるための取付用部材を備え、
前記取付用部材は、前記レール部の前記突条の下端に配置されて前記部品が固定される平板状の本体部と、該本体部の面から突出して前記突条の側面に固定される固定片とを備えており、
該取付用部材は、前記固定片と前記突条の側面とに貫通固定される第１の固定具によって前記レール部に対する位置決め及び固定がなされており、
前記取付用部材で前記レール部に取り付けられた前記部品の少なくとも一部が前記貫通部から前記前壁の前面側に露出した状態で設置される
ことを特徴とする鍵盤装置の部品取付構造。
【請求項２】
前記部品は、外部機器を接続するための接続端子と、電気的な操作を行うための操作子との少なくともいずれかを実装した基板である
ことを特徴とする請求項１に記載の鍵盤装置の部品取付構造。
【請求項３】
前記レール部は、所定間隔で形成された少なくとも二本の突条を有しており、前記取付用部材は、隣接する前記突条の間に挿入固定される第２の固定具によって前記レール部に対する固定がなされている
ことを特徴とする請求項１又は２に記載の鍵盤装置の部品取付構造。
【請求項４】
前記前壁の前記貫通部に装着されるカバー部材を備え、
前記カバー部材は、前記前壁の前面側から前記貫通部を通して前記取付用部材に固定されている
ことを特徴とする請求項１乃至３のいずれかに記載の鍵盤装置の部品取付構造。
【発明の詳細な説明】
【技術分野】
【０００１】
本発明は、鍵盤装置における鍵盤の後側かつ上方に設置されたパネル部材に外部機器接続用の端子やスイッチなどを有する部品を取り付けるための部品取付構造に関する。
【背景技術】
【０００２】
電子ピアノや電子オルガンをはじめとする電子鍵盤装置（鍵盤装置）には、例えば、特許文献１に示すように、鍵盤の後側の上部にパネル部材が設置されたものがある。このパネル部材は、例えば、鍵盤の後側の上部を覆う上壁と、該上壁の前端から下方に延びて鍵盤の後端に沿って立設された前壁（立壁）とを有する断面略Ｌ字型に形成されている。そして、このようなパネル部材を備えた鍵盤装置では、ＵＳＢ（Universal Serial Bus）によるデータの受け渡しが可能な機器を接続するための端子（以下、「ＵＳＢ端子」という。）、外部オーディオ機器を接続するためのオーディオ端子、電源スイッチ、鍵盤スプリットスイッチ、ポルタメントバーなどを有する部品を設置することがある。これらの部品は、パネル部材の前壁以外にも、鍵盤の前端の下側や拍子木部の上面あるいはその手前側、あるいは鍵盤装置本体の背面側など様々な位置に設けることが考えられるが、演奏時の操作性を考慮すると、パネル部材の前壁に設けることが望ましい。
【０００３】
ところで、従来の鍵盤装置が備えるパネル部材は、木製品や合成樹脂の成型品が主流であった。これに対して最近では、鍵盤装置の外観に高級感を出したり剛性を高めたりするために、パネル部材にアルミなどの押出成型品を使用することがある。ところが、アルミなどの押出成型品は、木材と比べて厚みが薄く形成されている。そこで、押出成型の際、押出方向に突出する一様な突条（レール部）を同時に形成することで、板面の捩れや曲がりを防ぐことが行われている。さらに、このレール部を利用して、パネル部材に他の部品を固定する（例えば、二本の突条の間にネジ切りネジで固定する）ことが行われている。しかしながら、上記のレール部は、本来的にはパネル部材の補強用に形成したものなので、必ずしも他の部品の固定には適していない。そのため、通常の固定方法では、合成樹脂の成型品などからなるパネル部材に対する固定と比べて、固定の自由度が低くなってしまう。また、押出成型品からなるパネル部材は板厚が薄いため、レール部以外の箇所にネジなどの固定具を固定すると、固定具がパネル板を貫通して表面側に突出し易くなる。そうすると、パネル部材の見栄えに影響するのみならず危険である。また、薄板を貫通するネジ穴には座減が発生し易く、ネジの確実な固定を確保できないおそれがある。
【０００４】
また、従来の押出成型品からなる鍵盤装置のパネル部材には、上記のようなレール部を上壁の下面側に形成したものがある。ところが、突起からなるレール部が前壁の近傍に位置していると、前壁に上記のような部品を固定しようとした場合、通常の固定手段では部品がレール部に干渉するため、所望の位置やスペースに部品を固定できないという問題もある。
【０００５】
なお、このような問題に対処するには、外部機器接続用の端子やスイッチを実装した基板などの部品をパネル部材に固定するのではなく、パネル部材の内側に設置した鍵盤装置の本体部側に固定することも考えられる。しかしながら、その場合、パネル部材に設けた開口部などから端子やスイッチを露出させる必要があり、パネル部材に対する部品の位置決めを正確に行わなければならない。そのため、パネル部材の寸法精度を高める必要が生じたり、鍵盤装置の組立が煩雑になったりするという問題がある。
【０００６】
したがって、鍵盤装置の製造工程の効率化を図るには、押出成型品からなるパネル部材に上記のような部品を固定する際に、パネル部材に対する部品の位置決め及び固定をできるだけ簡単かつ確実に行えるようにすることが望ましい。
【先行技術文献】
【特許文献】
【０００７】
【特許文献１】特開２００８−１８１０６８号公報
【発明の概要】
【発明が解決しようとする課題】
【０００８】
本発明は上述の点に鑑みてなされたものであり、その目的は、押出成型品からなるパネル部材に外部機器接続用の端子を実装した基板などの部品を取り付ける場合に、パネル部材に対する部品の位置決め及び固定を簡単かつ確実に行える鍵盤装置の部品取付構造を提供することにある。
【課題を解決するための手段】
【０００９】
上記課題を解決するための本発明は、鍵盤（１０）と、該鍵盤（１０）の後側の上部に設置したパネル部材（２０）とを備えた鍵盤装置において、パネル部材（２０）に部品（４３）を取り付けるための部品取付構造であって、パネル部材（２０）は、鍵盤（１０）の後側の上部を覆う上壁（２１）と、該上壁（２１）の前端から下方に延びて鍵盤（１０）の後端（１０ａ）に沿って立設された立壁（２２）とを有する押出成型品であり、上壁（２１）の下面側（２１ａ）には、下方に突出して鍵（１１）の配列方向に延在する突条（２４，２５，２７，２８）を有するレール部（２３、２６）が形成されているとともに、立壁（２２）には、部品（４３）を配置するための貫通部（２９）が形成されており、部品（４１，４３）をレール部（２３，２６）に取り付けるための取付用部材（４５）を備え、該取付用部材（４５）でレール部（２３，２６）に取り付けられた部品（４３）の少なくとも一部（４１）が貫通部（２９）から前壁（２２）の前面側に露出した状態で設置されることを特徴とする。
【００１０】
本発明にかかる鍵盤装置の部品取付構造によれば、押出成型品であるパネル部材のレール部に部品を取り付けるための取付用部材を備え、該取付用部材でレール部に取り付けた部品の少なくとも一部が貫通部から前壁の前面側に露出した状態で設置されるようにした。これにより、押出成型品であるパネル部材の上壁に形成されたレール部を利用して前壁に部品を配置できるので、レール部が前壁の近傍に突出する場合などでも、前壁の所望の位置に所望の大きさの部品を配置することが可能となる。
【００１１】
また、レール部を利用してパネル部材に部品を取り付けるので、パネル部材の前壁や上壁が薄板状である場合でも、それらの表面側にネジなどの固定具を露出させることなく部品の取り付けが行えるようになる。したがって、鍵盤装置の外観を良好にすることができる。さらに、取付用部材を備えたことで、レール部に対して直接取り付け難い形状や構造の部品であっても、その取り付けを容易且つ確実に行えるようになる。また、鍵盤装置の本体部側ではなくパネル部材側に部品を取り付けるので、パネル部材を鍵盤装置に組み付ける際に、部品の位置決めを厳密に行わなくても、正確な位置に部品を取り付けることができるようになる。したがって、パネル部材の加工工程の容易化、鍵盤装置の組立工程の効率化を図ることができる。
【００１２】
また、上記の部品取付構造によってパネル部材に取り付ける部品は、外部機器を接続するための接続端子（４１）と、電気的な操作を行うための操作子との少なくともいずれかを実装した基板（４３）であってよい。ここでいう外部機器を接続するための接続端子には、例えば、ＵＳＢ接続端子、外部オーディオ機器を接続するためのオーディオ端子があり、電気的な操作を行うための操作子には、電源スイッチ、鍵盤スプリットスイッチ、プリセットスイッチなどの各種スイッチ類、ボリューム、ポルタメントバーなどがある。さらにいえば、上記の部品は、基板以外にも、パネル部材の前壁に設置が可能な小型のスピーカーや液晶モニターなどの電気・電子機器であってもよい。
【００１３】
また、上記の部品取付構造では、取付用部材（４５）は、レール部（２３，２６）の突条（２４，２５，２７，２８）の下端に配置されて上記の部品（４３）が固定される平板状の本体部（４６）と、該本体部（４６）の面から突出して突条（２５）の側面に固定される固定片（４８）とを備えており、該取付用部材（４５）は、固定片（４８）と突条（２５）の側面とに貫通固定される第１の固定具（５１）によってレール部（２３）に対する位置決め及び固定がなされるようにしてよい。これによれば、固定片を突条の側面に固定するという簡単な固定構造でありながら、レール部及び前壁に対する部品の正確な位置決め及び確実な固定が可能となる。なお、ここでの第１の固定具は、一例として、固定片に設けたネジ孔と突条の側面に設けたネジ孔とに貫通固定される固定用ネジであってよい。
【００１４】
また、この場合、レール部（２３，２６）は、所定間隔で形成された少なくとも二本の突条（２４及び２５，又は２７及び２８）を有しており、取付用部材（４５）は、二本の突条（２７，２８）の間に挿入固定される第２の固定具（５３）によってレール部（２６）に対する固定がなされるようにしてよい。これによれば、隣接する二本の突条の隙間を利用した簡単な固定構造でありながら、レール部及び前壁に対する部品のさらに確実な固定が可能となる。なお、ここでの第２の固定具は、一例として、隣接する二本の突条の間に挿入されてネジ溝を切りながら固定される固定ネジであってよい。
【００１５】
また、上記の部品取付構造では、前壁（２２）の貫通部（２９）に装着するカバー部材（４２）を備え、カバー部材（４２）は、前壁（２２）の前面側から貫通部（２９）を通して取付用部材（４５）に固定されるようにしてよい。これによれば、前壁の貫通部に装着するカバー部材を簡単かつ確実に固定することが可能となる。特に、押出成型品からなるパネル部材の前壁にカバー部材を直接固定しようとすると、ネジなどの固定具を前壁の前面側に露出させずに固定することは容易でなく、固定方法や固定位置に制限が生じるおそれがあるが、本発明では、カバー部材を取付用部材に固定するようにしたことで、カバー部材の固定位置や固定方法の自由度を高めることができる。
なお、上記の括弧内の符号は、後述する実施形態の対応する構成要素の符号を本発明の一例として示したものである。
【発明の効果】
【００１６】
本発明にかかる鍵盤装置の部品取付構造によれば、アルミなどの押出成型品からなるパネル部材に外部機器接続用の端子を実装した基板などの部品を取り付ける場合、パネル部材に対する部品の正確な位置決め及び確実な固定が簡単に行えるようになる。
【図面の簡単な説明】
【００１７】
【図１】本発明の一実施形態にかかる部品取付構造を備えた鍵盤装置の全体構成例を示す斜視図である。
【図２】鍵盤装置の前パネル及び後パネルを示す概略側断面図である。
【図３】鍵盤装置の一方の端部の外観を示す部分拡大斜視図である。
【図４】前パネルの一方の端部を示す部分拡大図で、（ａ）は、平面図、（ｂ）は、正面図、（ｃ）は、裏面図、（ｄ）は、（ａ）のＡ−Ａ矢視断面図である。
【図５】前パネルにおけるＵＳＢコネクタの設置箇所を示す概略側断面図である。
【図６】取付用アングルを示す図で、（ａ）は、下面側から見た斜視図、（ｂ）は、下面図、（ｃ）及び（ｄ）は、側面図である。
【図７】ＵＳＢコネクタの組立手順を説明するための図で、（ａ）は、上壁の下面側に取付用アングルを取り付けた状態を示す前パネルの正面図、（ｂ）は、下面図である。
【図８】ＵＳＢコネクタの組立手順を説明するための図で、（ａ）は、取付用アングルの下面にＵＳＢ基板を取り付けた状態を示す前パネルの正面図、（ｂ）は、下面図である。
【図９】ＵＳＢコネクタの組立手順を説明するための図で、（ａ）は、前壁の開口部に端子カバーを装着した状態を示す前パネルの正面図、（ｂ）は、下面図である。
【発明を実施するための形態】
【００１８】
以下、添付の図面を参照して本発明の実施形態を詳細に説明する。図１は、本発明の一実施形態にかかる部品取付構造を備えた鍵盤装置の全体構成例を示す斜視図である。なお、以下の説明では、横方向というときは、後述する鍵盤装置１における鍵１１の配列方向を示し、前後方向あるいは手前側及び奥側というときは、各鍵１１の長手方向を示すものとする。図１に示す鍵盤装置１は、複数の鍵１１（白鍵１１ａ及び黒鍵１１ｂ）が配列された鍵盤１０を備えている。また、鍵盤１０を収容すると共に鍵盤装置１の外装をなす筐体構造として、鍵盤１０の後側の上部を覆う上ケース２と、鍵盤１０の下面側を覆う下ケース３と、鍵盤１０の両側面を覆う側板４，４とを備えている。上ケース２及び下ケース３は、鍵１１の配列方向に沿って延伸する略板状の部材からなる。上ケース２は、鍵盤１０の後側の上部において平面（水平面）内の手前側に配置された前パネル（パネル部材）２０と、奥側に配置された後パネル６０との二部品で構成されており、これら前パネル２０と後パネル６０とを連結して構成されている。
【００１９】
図２は、前パネル２０及び後パネル６０を示す概略側断面図である。上ケース２を構成する前パネル２０は、アルミ製の押出成型品であり、白鍵１１ａ及び黒鍵１１ｂの後部（鍵盤１０の後端１０ａ側）の上方を覆うように略水平面状に配置された上壁２１と、該上壁２１の前端辺から下方に延びて鍵盤１０の後端１０ａに沿って立設された前壁（立壁）２２とを有しており、断面形状が横向き略Ｌ字型に形成されている。上壁２１の下面側（裏面側）２１ａには、突条２４，２５を有する第１レール部２３、及び突条２７，２８を有する第２レール部２６が形成されている。第１、第２レール部２３，２６の詳細については後述する。一方、後パネル６０は、例えば、鉄製の板金を折り曲げて形成した部品であり、前パネル２０の上壁２１の後端辺２１ｆに連続する略水平面状の上壁６１と、該上壁６１の後端辺から下方に延びて鍵盤装置１の後側を覆う後壁６２とを有しており、断面形状が前パネル２０に対して前後対称な横向き略Ｌ字型に形成されている。
【００２０】
前パネル２０と後パネル６０の固定については、詳細な図示及び説明は省略するが、前パネル２０の上壁２１の後端辺から突出する舌片状の固定片２１ｂが後パネル６０の上壁６１の前端辺に差し込まれてネジで締結固定されることで、前パネル２０の上壁２１と後パネル６０の上壁６１とが接続固定される。これにより、前パネル２０の上壁２１と後パネル６０の上壁６１とが連続する一平板状になる。この状態で、前パネル２０の上壁２１の下面側２１ａと後パネル６０の上壁６１の下面側６１ａとの間にアングル材などを掛け渡して取り付けることで、前パネル２０と後パネル６０の接続を補強する。
【００２１】
図１に示すように、前パネル２０の上壁２１には、鍵盤装置１の操作に用いるための各種操作スイッチなど多数の操作子を含む操作子群６が配置されている。この操作子群６は、上壁２１の下面側２１ａに取り付けた図示しない回路基板に実装されており、上壁２１に形成された開口部２１ｃから表面側に露出している。
【００２２】
一方、前パネル２０の前壁２２は、白鍵１１ａ及び黒鍵１１ｂの後部の上方に立設されており、その横方向の一方の端部（図１の向かって右側の端部）の近傍には、ＵＳＢ機器を接続するためのＵＳＢコネクタ４０が設置されている。また、他方の端部の近傍には、電源スイッチ７が設置されている。また、横方向の途中位置には、複数の鍵盤スプリット用のスイッチ８が所定間隔で設置されている。なお、この鍵盤スプリット用のスイッチ８は、必要に応じて設置するもので、省略することも可能である。本実施形態の部品取付構造は、前パネル２０の前壁２２に設けたこれらＵＳＢコネクタ４０、電源スイッチ７、鍵盤スプリット用のスイッチ８を有する部品のいずれにも適用が可能であるが、以下では、当該部品取付構造をＵＳＢコネクタ４０を有する部品に適用した場合について説明する。
【００２３】
図３は、鍵盤装置１の端部を示す部分拡大斜視図であり、ＵＳＢコネクタ４０の外観構成を示す図である。ＵＳＢコネクタ４０は、前パネル２０の前壁２２において、鍵盤１０と側板４との間に設けた略平面状の拍子木部５の後側に位置しており、鍵盤装置１の正面側を向いて配置されたＵＳＢ機器接続用の接続端子（以下、「ＵＳＢ端子」という。）４１と、該ＵＳＢ端子４１の周囲に装着された端子カバー（エスカッション）４２とを備えている。
【００２４】
図４は、前パネル２０のＵＳＢコネクタ４０側の端部を示す部分拡大図で、（ａ）は、平面図、（ｂ）は、正面図、（ｃ）は、下面図、（ｄ）は、（ａ）のＡ−Ａ矢視断面図である。また、図５は、前パネル２０にＵＳＢコネクタ４０を設置した状態の概略側断面図である。図４に示すように、前パネル２０の上壁２１の下面側２１ａには、鍵１１の配列方向に延在する直線状の第１レール部２３及び第２レール部２６が形成されている。第１レール部２３は、上壁２１の前端辺２１ｅに沿う位置（前壁２２の直後の位置）に形成された所定間隔で平行な二本の突条２４，２５を有しており、第２レール部２６は、上壁２１の後端辺２１ｆに沿う位置に形成された所定間隔で平行な二本の突条２７，２８を有している。第１レール部２３及び第２レール部２６の各突条２４，２５，２７，２８は、上壁２１から下面側２１ａへの突出寸法がいずれも略同一寸法であり、前壁２２の半分よりも若干小さい突出寸法になっている。
【００２５】
また、前壁２２には、ＵＳＢコネクタ４０用の貫通穴からなる開口部２９が形成されている。開口部２９は、横長の略長方形状に形成されている。また、図４（ｃ）に示すように、第１レール部２３の突条２４には、後述する取付用アングル４５を固定するための第１固定ネジ５１（図５参照）を挿通する挿通穴２４ａが形成されており、突条２５には、第１固定ネジ５１を固定するネジ穴２５ａが形成されている。また、突条２４，２５には、端子カバー４２を取付用アングル４５に固定するための第３固定ネジ５３（図５参照）を挿通する挿通穴２４ｂ，２５ｂも形成されている。図４（ｃ）に示すように、挿通穴２４ａ及びネジ穴２５ａは、開口部２９に対向する位置の中央に各１個が形成されており、挿通穴２４ｂ，２５ｂはそれぞれ、挿通穴２４ａ及びネジ穴２５ａの両側に１個ずつ合計２個が形成されている。なお、図４（ｂ）に示すように、前壁２２をその手前側から見ると、第１レール部２３の突条２４及びその挿通穴２４ａ，２４ｂが開口部２９に露出している。
【００２６】
図５に示すように、ＵＳＢ端子４１は、配線基板（以下、「ＵＳＢ基板」という。）４３上に実装されている。ＵＳＢ基板４３は、平板状の硬質基板で、その一端辺の近傍に装着されたＵＳＢ端子４１が該一端辺の外側に突出して配置されている。そして、このＵＳＢ基板４３を第１、第２レール部２３，２６の下端に取り付けるための取付用アングル（取付用部材）４５が設けられている。
【００２７】
図６は、取付用アングル４５を示す図で、（ａ）は、下面側から見た斜視図、（ｂ）は、下面図、（ｃ）及び（ｄ）は、側面図である。取付用アングル４５は、開口部２９に対向する位置の第１、第２レール部２３，２６にＵＳＢ基板４３を位置決め及び固定するための金属製の板状部材であり、略矩形の平板状に形成された本体部４６と、該本体部４６の外周の一辺から略直角に折り曲げられて突出する小舌片状の３個の固定片４７，４７，４８とを備えている。図６（ｄ）に示すように、本体部４６と固定片４７，４７又は固定片４８による横断面形状が略Ｌ字型になっている。
【００２８】
３個の固定片４７，４７，４８は、本体部４６の外周の一辺に沿って並設されており、いずれも同じ向きに配置されている。固定片４７，４７，４８のうち、両側の２個の固定片４７，４７は、中央の固定片４８よりも本体部４６の外側寄りに若干突出した位置に配置されている。したがって、取付用アングル４５を第１レール部２３の下端に取り付ける際、中央の固定片４８が一方の突条２５の側面に当接し、両側の固定片４７，４７が他方の突条２４の側面に当接するようになっている。中央の固定片４８には、上記の第１固定ネジ５１を締結するためのネジ穴４８ａが形成されており、両側の固定片４７，４７には、上記の第３固定ネジ５３を締結するためのネジ穴４７ａ，４７ａが形成されている。なお、中央の固定片４８のネジ穴４８ａを突条２５のネジ穴２５ａ及び突条２４の挿通穴２４ａに一致させることで、両側の固定片４７，４７のネジ穴４７ａ、４７ａが突条２４の挿通穴２４ｂ，２４ｂ及び突条２５の挿通穴２５ｂ，２５ｂに一致するようになっている。
【００２９】
一方、取付用アングル４５の本体部４６は、その中央に略矩形状の開口からなる抜き部４６ｃを有し、略矩形の環状に形成されている。そして、抜き部４６ｃの外周には、取付用アングル４５を第２レール部２６に固定するための第２固定ネジ５２（図５参照）を挿通する挿通穴４６ａが設けられている。挿通穴４６ａは、本体部４６における第２レール部２６に対向する位置（取付用アングル４５を前パネル２０に取り付けたときに第２レール部２６に対向する位置）に設けられている。なお、図では、挿通穴４６ａを２個形成しているが、挿通穴４６ａは１個であってもよい。第２固定ネジ５２は、取付用アングル４５を上壁２１の下面側２１ａに取り付けるとき、第２レール部２６の突条２７，２８の隙間２６ａに下側から挿入され、突条２７，２８の側面にネジ溝を切って固定されるようになっている。また、取付用アングル４５の抜き部４６ｃの外周には、ＵＳＢ基板４３を固定するための第４固定ネジ５４（図５参照）を締結するネジ穴４６ｂが設けられている。図６の例では、ネジ穴４６ｂは、抜き部４６ｃの角部の近傍それぞれに合計３個が設けられている。
【００３０】
また、前壁２２の開口部２９に装着される端子カバー４２は、合成樹脂製の成型品であり、開口部２９から前壁２２の前面側に突出して開口部２９の上方及び側方を囲む庇状の本体部４２ａと、該本体部４２ａの後端に設けた立設平板状の後端壁４２ｂとを備えている。後端壁４２ｂには、端子カバー４２を取付用アングル４５の固定片４７，４７に固定するための第３固定ネジ５３（図５参照）を締結するネジ穴４２ｃが設けられている。
【００３１】
上記の各部品で構成されるＵＳＢコネクタ４０の組立手順について説明する。図７乃至図９は、ＵＳＢコネクタ４０の組立手順を説明するための図であり、図７は、上壁２１の下面側２１ａに取付用アングル４５を取り付けた状態、図８は、取付用アングル４５の下面にＵＳＢ基板４３を取り付けた状態、図９は、前壁２２の開口部２９に端子カバー４２を装着した状態を示している。また、図７乃至図９の各図では、（ａ）は、前パネル２０の横方向の端部を手前側から見た図、（ｂ）は、同部分を下面側から見た図である。
【００３２】
ＵＳＢコネクタ４０を組み立てるには、まず、図７に示すように、上壁２１の第１、第２レール部２３，２６の下端に取付用アングル４５を固定する。これには、取付用アングル４５の固定片４８を第１レール部２３の突条２５の側面に当接させて、突条２５のネジ穴２５ａと固定片４８のネジ穴４８ａとを一致させる。その状態で、前壁２２の開口部２９側から挿入した第１固定ネジ５１を突条２４の挿通穴２４ａに挿通して、その先のネジ穴２５ａとネジ穴４８ａに締結固定する。これにより、取付用アングル４５の本体部４６が第１、第２レール部２３，２６の下端の間に略水平に掛け渡された状態で固定される。
【００３３】
また、この状態で、本体部４６の挿通穴４６ａが第２レール部２６の突条２７と突条２８の隙間２６ａに一致する。したがって、本体部４６の下面側から挿通穴４６ａを介して隙間２６ａに第２固定ネジ５２を挿入し、該第２固定ネジ５２で突条２７と突条２８の側面にネジ溝を切って固定することができる。これにより、取付用アングル４５の本体部４６が第２レール部２６に対しても固定される。
【００３４】
このように、取付用アングル４５は、固定片４８と第１レール部２３の突条２５とに挿通固定される第１固定ネジ（第１の固定具）５１によって、第１レール部２３に対して位置決め及び固定され、さらに、第２レール部２６の突条２７，２８の隙間２６ａに挿入固定される第２固定ネジ（第２の固定具）５２によって、第２レール部２６に対して固定される。なお、取付用アングル４５の位置決め及び固定は第１固定ネジ５１だけでも可能である。したがって、取付用アングル４５の固定をより簡易的に行う場合は、第２固定ネジ５２を省略することも可能である。
【００３５】
続けて、図８に示すように、取付用アングル４５の本体部４６にＵＳＢ基板４３を取り付ける。これには、ＵＳＢ端子４１を前壁２２の開口部２９に挿入して前壁２２の前面側に突出させた状態で、取付用アングル４５の下面にＵＳＢ基板４３を当接させる。そして、ＵＳＢ基板４３の下面側から挿通した第４固定ネジ５４を取付用アングル４５のネジ穴４６ｂに締結し、ＵＳＢ基板４３を取付用アングル４５の下面に密着固定する。
【００３６】
次に、図９に示すように、ＵＳＢ端子４１を囲む端子カバー４２を開口部２９に装着する。端子カバー４２は、前壁２２の前面側から開口部２９に挿入する。これにより、端子カバー４２の後端壁４２ｂが突条２４に当接する。その状態で、後端壁４２ｂに設けたネジ穴４２ｃと取付用アングル４５の固定片４７，４７に設けたネジ穴４７ａ，４７ａとが一致するので、それらに第３固定ネジ５３を締結して端子カバー４２を固定する。以上でＵＳＢコネクタ４０の組み立てが完了する。
【００３７】
本発明にかかる部品取付構造を適用した上記のＵＳＢコネクタ４０では、アルミの押出成型品である前パネル２０にＵＳＢ基板４３を取り付けるための取付用アングル４５を備え、該取付用アングル４５で前パネル２０の上壁２１に形成した第１、第２レール部２３，２６にＵＳＢ基板４３を取り付けるようになっている。これにより、ＵＳＢ基板４３上のＵＳＢ端子４１が開口部２９から前壁２２の前面側に露出して設置される。このように、前パネル２０の上壁２１に形成した第１、第２レール部２３，２６を利用してＵＳＢ端子４１を設置するので、本実施形態のように第１レール部２３が前壁２２の近傍に突出している場合でも、ＵＳＢ基板４３やＵＳＢ端子４１を前壁２２における所望の位置に設置することができる。
【００３８】
また、突起状の第１、第２レール部２３，２６を利用して前パネル２０にＵＳＢ基板４３を取り付けるので、本実施形態のような薄板状の前パネル２０であっても、前壁２２や上壁２１の表面側にネジなどの固定具を露出させることなく、ＵＳＢ基板４３及びＵＳＢ端子４１の取り付けが行える。したがって、鍵盤装置１の外観を良好にすることができる。さらに、取付用アングル４５を備えたことで、ＵＳＢ基板４３を第１、第２レール部２３，２６に対して直接取り付る場合と比べて、それらの取り付けを容易且つ確実に行えるようになる。
【００３９】
また、上記の部品取付構造によれば、本実施形態の鍵盤装置１のように、前パネル２０がアルミの押出成型品の場合でも、鍵盤装置１の本体側ではなく前パネル２０にＵＳＢ基板４３を取り付けることができるので、前パネル２０を鍵盤装置１に組み付ける際にＵＳＢ基板４３やＵＳＢ端子４１の位置決めを行う必要がなくなる。したがって、鍵盤装置１の組立工程の効率化を図ることができる。
【００４０】
また、上記の部品取付構造では、取付用アングル４５は、第１、第２レール部２３，２６の下端に取り付けられてＵＳＢ基板４３が固定される平板状の本体部４６と、該本体部４６の面から突出して第１レール部２３の突条２５の側面に固定される固定片４８とを備えており、該取付用アングル４５は、固定片４８と突条２５とに貫通固定される第１の固定ネジ５１によって、第１レール部２３に対する位置決め及び固定がなされている。したがって、固定片４８を突条２５に固定するという簡単な構造でありながら、前壁２２及び開口部２９に対するＵＳＢ基板４３及びＵＳＢ端子４１の正確な位置決め及び確実な固定が可能となる。
【００４１】
また、この部品取付構造では、取付用アングル４５の本体部４６は、さらに、隣接する突条２７，２８の隙間２６ａに挿入固定される第２の固定ネジ５２によって、第２レール部２６に対する固定がなされている。したがって、隣接する突条２７，２８の隙間２６ａを利用した簡単な固定構造でありながら、第１、第２レール部２３，２６に対するＵＳＢ基板４３の固定をより確実なものとすることが可能となる。
【００４２】
また、本実施形態では、第１固定ネジ５１と第２固定ネジ５２は、互いの軸方向が直交する向きに締結されている。したがって、第１固定ネジ５１と第２固定ネジ５２とによって取付用アングル４５を複数の向きから固定できるため、取付用アングル４５の前パネル２０に対する位置決め及び固定がより確実なものとなる。
【００４３】
また、上記の部品取付構造では、前壁２２の開口部２９に装着する端子カバー４２が、前壁２２の前面側から開口部２９を通して取付用アングル４５に固定されるようになっている。これにより、端子カバー４２を簡単な構造で確実に固定することが可能となる。特に、アルミの押出成型品からなる前パネル２０の前壁２２に端子カバー４２を直接固定しようとすると、ネジなどの固定具が前面側に露出し易くなるため、端子カバー４２の固定に制限が生じるおそれがあるが、本実施形態の部品取付構造では、端子カバー４２を前壁２２ではなく取付用アングル４５に固定するので、端子カバー４２の固定の自由度を高めることができる。
【００４４】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。
【００４５】
たとえば、上記実施形態では、本発明の部品取付構造を適用する部品の一例として、ＵＳＢ端子４１を実装したＵＳＢ基板４３を説明したが、本発明の部品取付構造を適用する部品は、他の部品であってもよい。このような部品の例示として、外部機器を接続するための接続端子と、電気的な操作を行うための操作子の少なくともいずれかを実装した配線基板を挙げることができる。ここでいう外部機器を接続するための接続端子は、ＵＳＢ機器を接続するためのＵＳＢ端子４１以外にも、例えば、外部オーディオ機器を接続するためのオーディオ端子がある。また、電気的な操作を行うための操作子には、電源スイッチ７、鍵盤スプリットスイッチ８のほか、プリセットスイッチ、ポルタメントバーなどがある。さらにいえば、上記の部品は、前パネル２０の前壁２２に設置が可能なものであれば、小型のスピーカーや液晶モニターなどの電気・電子部品であってもよい。
【００４６】
また、本発明にかかるパネル部材の前壁（前パネル２０の前壁２２）に設置する部品は、鍵盤装置の製造時にパネル部材に設置されて出荷される部品（いわゆるファクトリセット部品）と、鍵盤装置を購入したユーザーが好みにより後付けで設置するオプション部品とのいずれにも適用が可能である。
【００４７】
また、上記実施形態では、第１乃至第４固定具５１〜５４がいずれもネジである場合を示したが、本発明にかかる部品取付構造に用いる固定具は、ネジ以外にも、リベットなどの固定具であってもよい。また、固定具の設置数や具体的な配置は、上記実施形態に示すものには限定されず、他の数や配置であってもよい。
【００４８】
また、上記実施形態では、ＵＳＢ基板４３上のＵＳＢ端子４１が開口部２９から前壁２２の前面側に突出している場合を示したが、本発明では、レール部に取り付けた部品の一部が貫通部から前壁の前面側に露出してさえいれば、必ずしも前壁から突出している必要はない。したがって、前壁の面と同一の位置、または前壁の面よりも奥側に下がった位置に設置してもよい。
【符号の説明】
【００４９】
１  鍵盤装置
１０  鍵盤
１０ａ  後端
１１  鍵
２０  前パネル（パネル部材）
２１  上壁
２１ａ  下面側
２２  前壁（立壁）
２３  第１レール部
２４  突条
２４ａ  挿通穴
２４ｂ  挿通穴
２５  突条
２５ａ  ネジ穴
２５ｂ  挿通穴
２６  第２レール部
２６ａ  隙間
２７  突条
２８  突条
２９  開口部（貫通部）
４０  ＵＳＢコネクタ
４１  ＵＳＢ端子
４２  端子カバー（カバー部材）
４３  ＵＳＢ基板（部品）
４５  取付用アングル（取付用部材）
４６  本体部
４７  固定片
４８  固定片
５１  第１固定ネジ（第１の固定具）
５２  第２固定ネジ（第２の固定具）
５３  第３固定ネジ
５４  第４固定ネジ
６０  後パネル
【図１】
0005428588.tif 000002
【図２】
0005428588.tif 000003
【図３】
0005428588.tif 000004
【図４】
0005428588.tif 000005
【図５】
0005428588.tif 000006
【図６】
0005428588.tif 000007
【図７】
0005428588.tif 000008
【図８】
0005428588.tif 000009
【図９】
0005428588.tif 000010